(57)【要約】【課題】ダウンロード済み有料コンテンツに対する未登録ユーザのアクセスを防ぐことができる移動通信端末を提供すること。【解決手段】ＳＩＭが挿入されていれば、テーブル検索処理を行う（Ｓ４０５）。続いて、テーブル検索処理の返り値を確認し（Ｓ４０７）、返り値＝ＮＧの場合にはエラー表示処理（Ｓ４１１）へ遷移する。このときのエラー表示処理（Ｓ４１１）では、ユーザが有料登録していないためコンテンツにアクセスできない旨の表示を行い、コンテンツへのアクセスを中止する。【選択図】　　　図４
2004023182.tif 000002
【特許請求の範囲】
【請求項１】
通信網に接続し、使用者から指示されたコンテンツをダウンロードする通信手段と、
端末内に挿入されている記憶媒体から使用者情報を検出する使用者情報検出手段と、
コンテンツのダウンロードを指示したとき、その時点で前記使用者情報検出手段により検出された使用者情報と、前記コンテンツのコンテンツ特定情報とを関連付けて保存するコンテンツ管理手段と、
保存したコンテンツの読出しを指示したとき、その時点で前記使用者情報検出手段により検出された使用者情報と、前記コンテンツ管理手段にて保存されている当該コンテンツに関連付けられた使用者情報とが一致する場合に、当該コンテンツの読出しを可能とする制御手段と
を具備することを特徴とする移動通信端末。
【請求項２】
請求項１に記載の移動通信端末において、
前記制御手段は、コンテンツをダウンロードする指示がなされたとき、
その時点で使用者情報検出手段により検出された使用者情報及び当該コンテンツのコンテンツ特定情報と、
前記コンテンツ管理手段にて保存されている全ての使用者情報及びコンテンツ特定情報とを比較し、
コンテンツ特定情報及び使用者情報ともに一致するものが存在しない場合には、前記ダウンロードが指示されたコンテンツのコンテンツ特定情報と、前記ダウンロードが指示された時点での使用者情報とを関連付けて新たに前記コンテンツ管理手段に登録することを特徴とする移動通信端末。
【発明の詳細な説明】
【０００１】
【発明の属する技術分野】
本発明は、端末と個人情報を切り離して使用できる移動通信端末に係り、特に有料コンテンツに対するアクセス管理に関する。
【０００２】
【従来の技術】
近年、音楽や画像、ゲームなどの移動通信端末向け配信サービスにおいて、一定の金額（例えば、￥３００）をコンテンツプロバイダに対してユーザが支払う（有料登録する）ことにより、コンテンツプロバイダの提供するコンテンツサーバから、予め定められた期間（例えば、１ヶ月）に限り、サーバ内のコンテンツを好きなだけダウンロードできるような定額制の配信サービスが存在する。
【０００３】
Ｗ−ＣＤＭＡ端末において、個人のＩＤ情報を記憶するＳＩＭカードは移動通信端末本体（以下、ＭＥと称す）から自由に取り外し可能であり、１人のユーザが１つの加入権で複数のＭＥを保持することが可能である。そのため、有料コンテンツプロバイダに登録済みのＩＤ情報を有するＳＩＭカードが挿入されているＭＥであれば、いかなるＭＥであろうと有料コンテンツをダウンロードし、使用出来るようにすべきである。
【０００４】
例えば、図７において、登録済みユーザであるＡさんのＩＤ情報を記録したＳＩＭカードをＳＩＭ１、未登録ユーザであるＢさんのＩＤ情報を記録したＳＩＭカードをＳＩＭ２とすれば、ＳＩＭ１でサーバにアクセスするパターン１とパターン３とにおいて、コンテンツのダウンロードを可能とすべきである。
ここで、Ｗ−ＣＤＭＡ端末では、通常、ダウンロードしたコンテンツをＳＩＭ内部の不揮発性メモリではなく、ＭＥ内部の不揮発性メモリなどに記憶する。よって、パターン３において、未登録ユーザであるＢさん所有のＭＥ２内部にダウンロードした有料コンテンツが記憶される可能性がある。
【０００５】
【発明が解決しようとする課題】
しかしながら、Ｂさんは有料登録してないため、ＢさんがＳＩＭ２挿入状態、若しくは挿入状態のＭＥ２で、ダウンロードした音楽を聴いたり、ゲームをプレイしたりすることを何らかの方法で禁止する必要が生じる。
本発明は、このような使用状況を鑑み、ダウンロード済み有料コンテンツに対する未登録ユーザのアクセスを防ぐことができる移動通信端末を提供する。
【０００６】
【課題を解決するための手段】
本発明の移動通信端末は、通信網に接続し、使用者から指示されたコンテンツをダウンロードする通信手段と、端末内に挿入されている記憶媒体から使用者情報を検出する使用者情報検出手段と、コンテンツのダウンロードを指示したとき、その時点で使用者情報検出手段により検出された使用者情報と、コンテンツのコンテンツ特定情報とを関連付けて保存するコンテンツ管理手段と、保存したコンテンツの読出しを指示したとき、その時点で使用者情報検出手段により検出された使用者情報と、コンテンツ管理手段にて保存されている当該コンテンツに関連付けられた使用者情報とが一致する場合に、当該コンテンツの読出しを可能とする制御手段とを具備することを特徴とする。
【０００７】
上記移動通信端末の制御手段は、コンテンツをダウンロードする指示がなされたとき、その時点で使用者情報検出手段により検出された使用者情報及び当該コンテンツのコンテンツ特定情報と、コンテンツ管理手段にて保存されている全ての使用者情報及びコンテンツ特定情報とを比較し、コンテンツ特定情報及び使用者情報ともに一致するものが存在しない場合には、ダウンロードが指示されたコンテンツのコンテンツ特定情報と、ダウンロードが指示された時点での使用者情報とを関連付けて新たにコンテンツ管理手段に登録することが好ましい。
【０００８】
【発明の実施の形態】
次に添付図面を参照して本発明による移動通信端末の実施の形態を詳細に説明する。図１は本発明の移動通信端末の実施の形態としてＷ−ＣＤＭＡ規格の携帯電話機を示すブロック図、図２は本発明の実施の形態である有料コンテンツ管理テーブルを表した図、図３乃至図６は本発明の実施の形態を説明するフローチャートである。
【０００９】
図１は本発明の移動通信端末の実施の形態としてＷ−ＣＤＭＡ規格の携帯電話機を示すブロック図である。この図において、１１は電話機全体を制御するＭＰＵであり、ベースバンドＩＣ１２、音声コーデック回路１３、ＣＰＵ１４で構成される。ＣＰＵ１４には、フラッシュメモリ１５とＲＡＭ１６が接続される。このフラッシュメモリ１５とＲＡＭ１６は、ＭＰＵ１１の内部に取り込むこともできる。ＣＰＵ１４は、フラッシュメモリ１５に格納されている動作処理手順を規定するプログラムに従って指定された処理を、ベースバンドＩＣ１２、音声コーデック回路１３およびキー操作部１７からの信号に基づいて実行し、ベースバンドＩＣ１２、音声コーデック回路１３および表示部１８を制御する。その際、ＣＰＵ１４は、ＲＡＭ１６を、フラッシュメモリ１５に記憶されたプログラムを実行するときのワークエリアとして使用する。このＲＡＭ１６には、文字入力の際の辞書機能の一つである学習機能データが記憶される。一方、フラッシュメモリ１５には、メッセージセンタから受信した文字メッセージや、文字パターン（英、数を含む）／アイコン（図形）などのフォント情報、さらには電話帳情報などが記憶される。
【００１０】
また、ＣＰＵ１４はブラウザ機能を有しており、ユーザ操作によってベースバンドＩＣ１２、ＲＦ部２０、アンテナ１９を用いて所望のＷｅｂページにアクセスし、所望のコンテンツサーバからコンテンツをダウンロードすることができる。
キー操作部１７はＣＰＵ１４に接続され、電話番号入力、メール入力等を行い、各種の動作設定も行う。表示部１８はＬＣＤからなりＣＰＵ１４に接続され、キー操作部１７から入力された各種の情報、履歴、メニュー等を表示する。
ＲＦ部２０は、アンテナ１９で受信した信号をベースバンドＩＣ１２に復調用信号として出力するＲＦ受信回路と、ベースバンドＩＣ１２からの変調信号をアンテナ１９に送信信号として出力するＲＦ送信回路とからなり、アンテナ１９に対するＲＦ受信回路とＲＦ送信回路の切替えは図示しない切替えスイッチにより行われる。
【００１１】
ベースバンドＩＣ１２はＣＰＵ１４によって制御され、音声信号やＲＦ信号を変復調する。ベースバンドＩＣ１２の出力である音声信号は音声コーデック回路１３によってＤ／Ａ変換と増幅された後スピーカ２１を駆動する。一方、マイクロホン２２から入力された音声信号は音声コーデック回路１３で増幅とＡ／Ｄ変換された後ベースバンドＩＣ１２で変調され、さらに前記ＲＦ部２０を介してアンテナ１９より送信信号として送信される。
【００１２】
情報カード２３は、ユーザが所有する例えばＳＩＭカードと呼ばれるＩＣカード（以下、ＳＩＭカードという）で、電話番号およびセキュリティに関する情報を記憶し、このＳＩＭカード２３を携帯電話機に挿入することによりユーザを特定し携帯電話機が使用可能な状態となる。このＳＩＭカード２３は、携帯電話機に対して着脱自在で、携帯電話機に挿入されるとＣＰＵ１４に接続される。このＳＩＭカード２３には、電話帳データなどの個人情報を記憶することができ、かつ記憶された情報を読み出すこともできる。
【００１３】
上記のような携帯電話機においては、ダウンロードデータ、例えば、有料コンテンツを電話機内のフラッシュメモリ１５（以下単にメモリという）に記憶させることができるが、電話機内のメモリ１５に有料コンテンツを記憶させる場合は、このとき電話機内に挿入されているＳＩＭカード２３の種類と有料コンテンツとが関連付けて記憶される。また、メモリ１５内に記憶された有料コンテンツを読み出す際は、このとき電話機内に挿入されているＳＩＭカード２３の種類と記憶時に関連付けられたＳＩＭカードの種類とを比較して、両者が一致する場合に有料コンテンツの読み出しが可能となる。したがって、携帯電話機所有者が自分のＳＩＭカードを電話機内に挿入して自分のＳＩＭカードと関連付けて有料コンテンツをメモリ１５に記憶させた場合は、自分のＳＩＭカードでなければ有料コンテンツを読み出すことができず、所有者以外のＳＩＭカードが挿入されている場合、あるいはＳＩＭカードが挿入されていない場合は、有料コンテンツを読み出せない。したがって、未登録ユーザのアクセスを防ぐことができる。
【００１４】
ここで、ＳＩＭカードの“種類”は、種々の情報で表わせるが、ここではＳＩＭカード内にあるＩＭＳＩ（Ｉｎｔｅｒｎａｔｉｏｎａｌ　Ｍｏｂｉｌｅ　Ｓｕｂｓｃｒｉｂｅｒ　Ｉｄｅｎｔｉｔｙ：ＳＩＭカード毎の電話番号のデータ）を用いることとする。
【００１５】
図２に有料コンテンツ管理テーブルを表す。本発明の実施の形態では、フラッシュメモリ１５に該テーブルを記憶するものとする。
該テーブルの第１列目にはインデックス番号が記憶される。第２列目にはダウンロードした有料コンテンツのタイトル、第３列目には該コンテンツをダウンロードしたユーザ（ＳＩＭ）の識別情報（ＩＭＳＩ）が記憶される。
【００１６】
第１行目を例にとって説明すると、第１列目（インデックス・フィールド）には０が記憶されている。第２列目（タイトルフィールド）にはコンテンツタイトル“ｇａｚｏｕ＿１．ｐｎｇ”が記憶されている。また、第３列目（ダウンロードユーザ・フィールド）には“ｇａｚｏｕ＿１．ｐｎｇ”をダウンロードしたユーザ１のＩＭＳＩ“０００００００００００００００”が記憶されている。
【００１７】
図３は、ユーザが有料コンテンツをダウンロードした際の処理フローチャートである。処理手順に従って説明すると、まず最初に、ＳＩＭに記憶されているＩＭＳＩの値を読み込む（Ｓ３０１）。続いて、テーブル更新処理（図５参照）を行う（Ｓ３０３）。テーブル更新処理については、後に詳しく説明する。
【００１８】
図４は、ダウンロード済み有料コンテンツにアクセスする際の処理フローチャートである。処理手順に従って説明すると、まず最初に、ＩＭＳＩ読込み処理を行う（Ｓ４０１）。該処理では、ＳＩＭに記憶されているＩＭＳＩの値を読み込む。この時（Ｓ４０３）、ＳＩＭが挿入されていなければ、エラー表示処理（Ｓ４１１）へ遷移する。エラー表示処理（Ｓ４１１）では、ＳＩＭ未挿入のためコンテンツにアクセス出来ない旨の表示を行い、コンテンツへのアクセスを中止する。
【００１９】
Ｓ４０３で、ＳＩＭが挿入されていれば、テーブル検索処理（図６参照）を行う（Ｓ４０５）。テーブル検索処理については、後に詳しく説明する。続いて、テーブル検索処理の返り値を確認し（Ｓ４０７）、返り値＝ＮＧの場合にはエラー表示処理（Ｓ４１１）へ遷移する。このときのエラー表示処理（Ｓ４１１）では、ユーザが有料登録していないためコンテンツにアクセスできない旨の表示を行い、コンテンツへのアクセスを中止する。
【００２０】
テーブル検索処理の返り値＝ＯＫの場合にはコンテンツ展開処理（Ｓ４０９）を行う。コンテンツ展開処理（Ｓ４０９）は、ユーザのアクセスするコンテンツの種類に応じて、絵の表示、音楽の再生、ゲームの起動などを行う。
【００２１】
図５は、テーブル更新処理（図３のＳ３０３）のフローチャートである。該処理は、有料コンテンツ管理テーブル（図２）に登録されているコンテンツ数でループして実行される（Ｓ５０１）。ループ内では、まず最初に、ユーザがダウンロードした有料コンテンツのタイトルと、有料コンテンツ管理テーブル（図２）の比較対象レコードの第２列目（タイトルフィールド）にあるコンテンツタイトルとを比較する（Ｓ５０３）。
【００２２】
Ｓ５０３の結果、両者のコンテンツタイトルが一致した場合、ＩＭＳＩ比較処理（Ｓ５０７）へ遷移する。一方、一致しなかった場合には、次レコードへ進んで再度コンテンツ名比較処理（Ｓ５０３）を行う。全レコードに対してコンテンツ名比較処理（Ｓ５０３）を行い、一致するものがなかった場合には、ユーザが有料登録を行うと該テーブルへのコンテンツ名及びＩＭＳＩ追加処理（Ｓ５１１）へ遷移する。
【００２３】
上記処理（Ｓ５１１）では、有料コンテンツ管理テーブルのタイトルフィールドに、新たにユーザがダウンロードした有料コンテンツのタイトルを追加し、対応するＩＭＳＩフィールド（タイトル追加行の第３列目）にＩＭＳＩ読み取り処理（図３のＳ３０１）で獲得したＩＭＳＩ値を書き込む。この場合、Ｓ５１１の処理を行った後、有料コンテンツダウンロード時の処理は終了する。
【００２４】
ＩＭＳＩ比較処理（Ｓ５０７）では、タイトルの一致を検出したコンテンツに対応付けて記憶されるＩＭＳＩ値と、ＩＭＳＩ読み込み処理（図３のＳ３０１）で獲得したＩＭＳＩ値との比較を行う。
【００２５】
Ｓ５０９でＩＭＳＩ値が一致した場合、これは、当該ユーザは既に当該有料コンテンツを扱うコンテンツプロバイダに有料登録済みであることを意味する。この場合、有料コンテンツ管理テーブルを操作する必要は無いため、この段階で有料コンテンツダウンロード時の処理は終了する。
【００２６】
一方、Ｓ５０９でＩＭＳＩ値が一致しなかった場合には、次レコードへ進んで再度コンテンツ名比較処理（Ｓ５０３）を行う。
【００２７】
図６は、テーブル検索処理（図４のＳ４０５）のフローチャートである。該処理は、有料コンテンツ管理テーブル（図２）に登録されているコンテンツ数でループして実行される（Ｓ６０１）。ループ内では、まず最初に、ユーザがアクセスしようとしている有料コンテンツのタイトルと、有料コンテンツ管理テーブル（図２）の比較対象レコードの第２列目（タイトルフィールド）のコンテンツタイトルとを比較する（Ｓ６０３）。
【００２８】
Ｓ６０３の結果、両者のコンテンツタイトルが一致した場合、ＩＭＳＩ比較処理（Ｓ６０７）へ遷移する。一方、一致しなかった場合には、次レコードへ進んで再度コンテンツ名比較処理（Ｓ６０３）を行う。全レコードに対してコンテンツ名比較処理（Ｓ６０３）を行い、一致するものがなかった場合、当該ユーザは当該有料コンテンツを扱うコンテンツプロバイダに有料登録していないことを意味するため、返り値をＮＧとする（アクセスを禁止する）（Ｓ６１１）。
【００２９】
ＩＭＳＩ比較処理（Ｓ６０７）では、タイトルの一致を検出したコンテンツに対応付けて記憶されるＩＭＳＩ値と、ＩＭＳＩ読み込み処理（図４のＳ４０１）で獲得したＩＭＳＩ値との比較を行う。
【００３０】
Ｓ６０９でＩＭＳＩ値が一致した場合、当該ユーザは既に当該有料コンテンツを扱うコンテンツプロバイダに有料登録済みであることを意味するため、返り値をＯＫとする（アクセスを許可する）（Ｓ６１３）。
一方、Ｓ６０９でＩＭＳＩ値が一致しない場合には、次レコードへ進んで再度コンテンツ名比較処理（Ｓ６０３）を行う。
【００３１】
以上のように、上記の携帯電話機によれば、携帯電話機内部の不揮発性メモリなどにダウンロードした有料コンテンツにアクセスする際、有料登録していないユーザがダウンロード済み有料コンテンツにアクセスすることを防止することができる。
【００３２】
なお、上記の動作説明は、コンテンツプロバイダからコンテンツの全データをダウンロードする構成の場合を例としたが、ダウンロードして不揮発性メモリに蓄えるデータがコンテンツの全データの一部だけであり、コンテンツを起動させる度にコンテンツプロバイダとの間で通信し、必要に応じてデータをダウンロードするコンテンツ構成の場合でも本発明は適用可能である。
また、上記の動作説明は、有料コンテンツデータをＭＥ内部の不揮発性メモリにダウンロードした場合を例にとって行ったが、本発明はこれに限定されず、例えば、有料コンテンツデータをＳＤカードなどの外部メモリに記憶した場合にも適用することができる。
【００３３】
この場合、ＭＥは、有料コンテンツデータと併せて、有料コンテンツ管理テーブル（テーブル定義は図２と同様）も外部メモリに記憶する。
ユーザが当該外部メモリを他のＭＥに挿入し、外部メモリに記憶される有料コンテンツデータをコピーする場合には、ＭＥは外部メモリ中の有料コンテンツ管理テーブルも併せて読み取り、ＭＥが既に保持している有料コンテンツ管理テーブル（図２）に追加する。
【００３４】
その後、ユーザが有料コンテンツにアクセスする際には前述の処理（図４）を実行する。このようにすることで、外部メモリにより非有料登録ユーザのＭＥに有料コンテンツデータがコピーされたとしても、当該ユーザが有料コンテンツデータにアクセスするのを防ぐことが出来る。
【００３５】
なお、上記の実施の形態は、本発明をＷ−ＣＤＭＡ規格の携帯電話機に応用した場合であるが、本発明は、端末と個人情報とを切り離して使用できるシステム（例えば、ＧＳＭ規格、ＩＭＴ−２０００規格）の移動通信端末全般に応用できる。
【００３６】
【発明の効果】
以上詳細に説明したように本発明の移動通信端末によれば、ダウンロード済み有料コンテンツに対する未登録ユーザのアクセスを防ぐことができる。
【図面の簡単な説明】
【図１】本発明による移動通信端末の実施の形態を示すブロック図。
【図２】本発明の実施の形態である有料コンテンツ管理テーブルを表した図。
【図３】本発明の実施の形態の第１の動作を示すフローチャート。
【図４】本発明の実施の形態の第２の動作を示すフローチャート。
【図５】本発明の実施の形態の第３の動作を示すフローチャート。
【図６】本発明の実施の形態の第４の動作を示すフローチャート。
【図７】Ｗ−ＣＤＭＡ規格の携帯電話機での有料コンテンツダウンロードの概念図。
【符号の説明】
１１　ＭＰＵ
１４　ＣＰＵ
１５　フラッシュメモリ
１７　キー操作部
１８　表示部
２３　情報カード（ＳＩＭカード）
【図１】
2004023182.tif 000003
【図２】
2004023182.tif 000004
【図３】
2004023182.tif 000005
【図４】
2004023182.tif 000006
【図５】
2004023182.tif 000007
【図６】
2004023182.tif 000008
【図７】
2004023182.tif 000009